【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
客が購入した商品の販売データを含むレシートデータから、年間購入額が所定金額範囲の範囲内のときに税控除を受けられる商品群に属する商品の販売データを検出する検出手段と、
前記検出手段により検出された前記商品群に属する商品の販売データを、当該販売データを含む前記レシートデータに関連付けられた客識別情報と関連付けて記憶部に記憶させる記憶手段と、
前記商品群に属する商品の販売データを年毎に集計する集計手段と、
前記客識別情報を含む閲覧要求に応答して、前記集計手段により前記記憶部で当該客識別情報と関連付けられて記憶されている販売データを年毎に集計したデータに基づき、所定の年内に売買された前記商品群に属する商品の合計金額と、前記商品群に属する商品の帳票出力を指示するための画像と、を含む画像データを、閲覧要求元の機器へと出力する情報出力手段と、
前記閲覧要求元の機器から前記商品群に属する商品の帳票出力指示を受けると、前記記憶部で当該帳票出力指示に含まれる客識別情報と関連付けられて記憶されている販売データに基づき、前記所定の年内に売買された前記商品群に属する商品の商品名、金額、販売店名、購入日及び当該商品が前記税控除の対象商品である旨の記載を含む帳票を出力する帳票出力手段と、
を具備するレシートデータ管理装置。
【請求項２】
前記帳票出力手段は、前記帳票の出力先を指定するための画像データを前記閲覧要求元の機器へと出力し、前記閲覧要求元の機器から前記帳票の出力先を指定する指示を受けると、指定された出力先へと帳票を出力する、請求項１記載のレシートデータ管理装置。
【請求項３】
前記帳票出力手段は、前記所定の年内に売買された前記商品群に属する商品の合計金額が前記所定金額範囲の範囲内であるとき、前記帳票を出力する、請求項１記載のレシートデータ管理装置。
【請求項４】
前記所定の年内に売買された前記商品群に属する商品の合計金額が前記所定金額範囲の範囲外であるとき、帳票出力を行うか否かの選択入力を受け付ける選択手段、
をさらに具備し、
前記帳票出力手段は、前記所定の年内に売買された前記商品群に属する商品の合計金額が前記所定金額範囲の範囲外であるとき、前記選択手段により前記帳票出力を行う旨の選択入力を受け付けた場合に、前記帳票を出力し、
前記選択手段は、前記合計金額が前記所定金額範囲の下限金額未満であるとき、前記合計金額が前記下限金額に達するまでの不足額を前記閲覧要求元の機器へと通知することを含む、請求項３記載のレシートデータ管理装置。
【請求項５】
客が購入した商品の販売データを含むレシートデータを取り込んで処理するコンピュータを、
客が購入した商品の販売データを含むレシートデータから、年間購入額が所定金額範囲の範囲内のときに税控除を受けられる商品群に属する商品の販売データを検出する検出手段、
前記検出手段により検出された前記商品群に属する商品の販売データを、当該販売データを含む前記レシートデータに関連付けられた客識別情報と関連付けて記憶部に記憶させる記憶手段、
前記商品群に属する商品の販売データを年毎に集計する集計手段、
前記客識別情報を含む閲覧要求に応答して、前記集計手段により前記記憶部で当該客識別情報と関連付けられて記憶されている販売データを年毎に集計したデータに基づき、所定の年内に売買された前記商品群に属する商品の合計金額と、前記商品群に属する商品の帳票出力を指示するための画像と、を含む画像データを、閲覧要求元の機器へと出力する情報出力手段、及び、
前記閲覧要求元の機器から前記商品群に属する商品の帳票出力指示を受けると、前記記憶部で当該帳票出力指示に含まれる客識別情報と関連付けられて記憶されている販売データに基づき、前記所定の年内に売買された前記商品群に属する商品の商品名、金額、販売店名、購入日及び当該商品が前記税控除の対象商品である旨の記載を含む帳票を出力する帳票出力手段、
として機能させるためのプログラム。
【請求項６】
前記帳票出力手段は、前記帳票の出力先を指定するための画像データを前記閲覧要求元の機器へと出力し、前記閲覧要求元の機器から前記帳票の出力先を指定する指示を受けると、指定された出力先へと帳票を出力する手段、
として機能させるための請求項５記載のプログラム。
【請求項７】
前記帳票出力手段は、前記所定の年内に売買された前記商品群に属する商品の合計金額が前記所定金額範囲の範囲内であるとき、前記帳票を出力する手段、
として機能させるための請求項５記載のプログラム。
【請求項８】
前記コンピュータを、
前記所定の年内に売買された前記商品群に属する商品の合計金額が前記所定金額範囲の範囲外であるとき、帳票出力を行うか否かの選択入力を受け付ける選択手段、
としてさらに機能させ、
前記帳票出力手段は、前記所定の年内に売買された前記商品群に属する商品の合計金額が前記所定金額範囲の範囲外であるとき、前記選択手段により前記帳票出力を行う旨の選択入力を受け付けた場合に、前記帳票を出力する手段、
前記選択手段は、前記合計金額が前記所定金額範囲の下限金額未満であるとき、前記合計金額が前記下限金額に達するまでの不足額を前記閲覧要求元の機器へと通知することを含む手段
として機能させるための請求項７記載のプログラム。
【請求項９】
客が購入した商品の販売データを含むレシートデータを取り込んで処理するレシートデータ管理装置が、
客が購入した商品の販売データを含むレシートデータから、年間購入額が所定金額範囲の範囲内のときに税控除を受けられる商品群に属する商品の販売データを検出し、その検出された前記商品群に属する商品の販売データを、当該販売データを含む前記レシートデータに関連付けられた客識別情報と関連付けて記憶部に記憶させ、前記商品群に属する商品の販売データを年毎に集計すること、
前記客識別情報を含む閲覧要求に応答して、前記記憶部で当該客識別情報と関連付けられて記憶されている販売データを年毎に集計したデータに基づき、所定の年内に売買された前記商品群に属する商品の合計金額と、前記商品群に属する商品の帳票出力を指示するための画像と、を含む画像データを、閲覧要求元の機器へと出力すること、及び、
前記閲覧要求元の機器から前記商品群に属する商品の帳票出力指示を受けると、前記記憶部で当該帳票出力指示に含まれる客識別情報と関連付けられて記憶されている販売データに基づき、前記所定の年内に売買された前記商品群に属する商品の商品名、金額、販売店名、購入日及び当該商品が前記税控除の対象商品である旨の記載を含む帳票を出力すること、
を含むレシートデータ管理方法。
【請求項１０】
前記レシートデータ管理装置は、
前記閲覧要求元の機器から前記商品群に属する商品の帳票出力指示を受けると、前記帳票の出力先を指定するための画像データを前記閲覧要求元の機器へと出力し、前記閲覧要求元の機器から前記帳票の出力先を指定する指示を受けると、指定された出力先へと帳票を出力する、請求項９記載のレシートデータ管理方法。
【請求項１１】
前記レシートデータ管理装置は、
前記閲覧要求元の機器から前記商品群に属する商品の帳票出力指示を受けると、前記所定の年内に売買された前記商品群に属する商品の合計金額が前記所定金額範囲の範囲内であるとき、前記帳票を出力する、請求項９記載のレシートデータ管理方法。
【請求項１２】
前記レシートデータ管理装置は、
前記所定の年内に売買された前記商品群に属する商品の合計金額が前記所定金額範囲の範囲外であるときには帳票出力を行うか否かの選択入力を受け付け、前記合計金額が前記所定金額範囲の下限金額未満であるときには前記合計金額が前記下限金額に達するまでの不足額を前記閲覧要求元の機器へと通知すること、
をさらに含み、
前記レシートデータ管理装置は、
前記所定の年内に売買された前記商品群に属する商品の合計金額が前記所定金額範囲の範囲外であるとき、前記帳票出力を行う旨の選択入力を受け付けると、前記帳票を出力する、請求項１１記載のレシートデータ管理方法。
【手続補正２】
【補正対象書類名】明細書
【補正対象項目名】発明の名称
【補正方法】変更
【補正の内容】
【発明の名称】レシートデータ管理装置及びそのプログラム並びにレシートデータ管理方法
【手続補正３】
【補正対象書類名】明細書
【補正対象項目名】０００７
【補正方法】変更
【補正の内容】
【０００７】
一実施形態において、レシートデータ管理装置は、検出手段、記憶手段、集計手段、情報出力手段及び帳票出力手段を備える。検出手段は、客が購入した商品の販売データを含むレシートデータから、年間購入額が所定金額範囲の範囲内のときに税控除を受けられる商品群に属する商品の販売データを検出する。記憶手段は、検出手段により検出された前記商品群に属する商品の販売データを、当該販売データを含むレシートデータに関連付けられた客識別情報と関連付けて記憶部に記憶させる。集計手段は、前記商品群に属する商品の販売データを年毎に集計する。情報出力手段は、客識別情報を含む閲覧要求に応答して、集計手段により記憶部で当該客識別情報と関連付けられて記憶されている販売データを年毎に集計したデータに基づき、所定の年内に売買された前記商品群に属する商品の合計金額と、前記商品群に属する商品の帳票出力を指示するための画像と、を含む画像データを、閲覧要求元の機器へと出力する。帳票出力手段は、閲覧要求元の機器から前記商品群に属する商品の帳票出力指示を受けると、記憶部で当該帳票出力指示に含まれる客識別情報と関連付けられて記憶されている前記商品群に属する商品の販売データに基づき、所定の年内に売買された前記商品群に属する商品の商品名、金額、販売店名、購入日及び当該商品が税控除の対象商品である旨の記載を含む帳票を出力する。
【手続補正４】
【補正対象書類名】明細書
【補正対象項目名】００４９
【補正方法】変更
【補正の内容】
【００４９】
ＯＴＣ医薬品明細データＤ１を生成すると、ＣＰＵ１１は、Ａｃｔ２０としてそのＯＴＣ医薬品明細データＤ１を、ＯＴＣ医薬品集計ファイル１４６に保存する。すなわちＣＰＵ１１は、レシートデータ２５の会員番号と取引日時の年度とを含むＯＴＣ医薬品集計データ１４６Ｒに、ＯＴＣ医薬品明細データＤ１を追加する。またＣＰＵ１１は、Ａｃｔ２１として同ＯＴＣ医薬品集計データ１４６Ｒの年度合計金額を更新する。すなわちＣＰＵ１１は、年度合計金額にＯＴＣ医薬品明細データＤ１の価格を加算する。
【手続補正５】
【補正対象書類名】明細書
【補正対象項目名】００５５
【補正方法】変更
【補正の内容】
【００５５】
次に、電子レシートサービスの会員である消費者が、セルフメディケーション税制の税控除対象商品であるＯＴＣ医薬品の購買情報を、情報端末５０を使用して閲覧し、さらに確定申告用の帳票を取得する場合の動作について、図１１乃至図２３を用いて説明する。因みに、確定申告用の帳票とは、セルフメディケーション税制の適用を受けるための確定申告の際に必要となる証明書類の１種である。この証明書類には、商品名、金額、当該商品がセルフメディケーション税制対象商品である旨、販売店名及び購入日が明記されていることが必要とされている。
【手続補正６】
【補正対象書類名】明細書
【補正対象項目名】００８５
【補正方法】変更
【補正の内容】
【００８５】
Ａｃｔ５１乃至Ａｃｔ５４の待ち受け状態において、第１又は第２の年度変更コマンドを受信した場合には（Ａｃｔ５１にてＹＥＳ）、ＣＰＵ１１は、Ａｃｔ５５として年度エリアの年度を更新する。具体的にはＣＰＵ１１は、第１の年度変更コマンドを受信した場合には一年前の年度に更新する。ＣＰＵ１１は、第２の年度変更コマンドを受信した場合には一年後の年度に更新する。その後ＣＰＵ１１は、図１１のＡｃｔ４１の処理に戻る。これにより、情報端末５０においては、ディスプレイに表示されるＯＴＣ医薬品一覧画面ＳＣ４の画像が、前年又は翌年のＯＴＣ医薬品一覧画像に切り替わる。
【手続補正７】
【補正対象書類名】明細書
【補正対象項目名】０１３２
【補正方法】変更
【補正の内容】
【０１３２】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］客が購入した商品の販売データを含むレシートデータから、年間購入額が所定金額範囲の範囲内のときに税控除を受けられる商品群に属する商品の販売データを検出する検出手段と、前記検出手段により検出された前記商品の販売データを、当該販売データを含む前記レシートデータに関連付けられた客識別情報と関連付けて記憶部に記憶させる記憶手段と、前記客識別情報を含む帳票出力要求に応答して、前記記憶部で当該客識別情報と関連付けられて記憶されている前記商品の販売データに基づき、所定期間内に売買された前記税控除を受けられる商品群に属する商品の商品名、金額、販売店名、購入日及び当該商品が前記税控除の対象商品である旨の記載を含む帳票を出力する帳票出力手段と、を具備するレシートデータ管理装置。
［２］前記帳票出力手段は、前記帳票出力要求とともに受け取った出力先識別情報で識別される出力機器に送信出力する、付記［１］記載のレシートデータ管理装置。
［３］前記記憶部は、前記客識別情報と関連付けて、所定期間内に売買された前記税控除を受けられる商品群に属する商品の合計金額をさらに記憶し、前記帳票出力要求に対して当該帳票出力要求に含まれる前記客識別情報と関連付けて前記記憶部で記憶されている合計金額が前記所定金額範囲の範囲内であることを条件に前記帳票出力手段を動作させる、付記［１］又は［２］に記載のレシートデータ管理装置。
［４］前記帳票出力要求に対して当該帳票出力要求に含まれる前記客識別情報と関連付けて前記記憶部で記憶されている合計金額が前記所定金額範囲の範囲外であるとき、帳票出力を行うか否かの選択入力を受け付ける選択手段、をさらに具備し、帳票出力を行う旨の選択入力を受け付けた場合には前記帳票出力手段を動作させる、付記［３］記載のレシートデータ管理装置。
［５］前記選択手段は、前記合計金額が前記所定金額範囲の下限金額未満であるとき、前記合計金額が前記下限金額に達するまでの不足額を前記帳票出力要求の要求元機器へと通知することを含む、付記［４］記載のレシートデータ管理装置。
［６］コンピュータに、客が購入した商品の販売データを含むレシートデータから、年間購入額が所定金額範囲の範囲内のときに税控除を受けられる商品群に属する商品の販売データを検出させる機能と、前記検出された前記商品の販売データを、当該販売データを含む前記レシートデータに関連付けられた客識別情報と関連付けて記憶部に記憶させる機能と、前記客識別情報を含む帳票出力要求に応答して、前記記憶部で当該客識別情報と関連付けられて記憶されている前記商品の販売データに基づき、所定期間内に売買された前記税控除を受けられる商品群に属する商品の商品名、金額、販売店名、購入日及び当該商品が前記税控除の対象商品である旨の記載を含む帳票を出力させる機能と、を実現させるためのプログラム。